【事件の表示】
　平成１０年特許願第　４２３５３号「デジタル画像形成装置」拒絶査定不服審判事件〔平成１１年　９月　７日出願公開、特開平１１−２４３４６３〕について、次のとおり審決する。
【結　論】
　本件審判の請求は、成り立たない。
【理　由】
第１　手続きの経緯
　本願は、平成１０年２月２４日（優先権主張平成９年１２月２６日）の出願であって、平成１６年８月３日に拒絶査定がなされ、これに対して同年９月９日に拒絶査定不服審判の請求がなされるとともに、同年１０月１２日に手続補正がなされたものである。
 　  
第２　平成１６年１０月１２日付けの手続補正の補正の却下の決定について
［補正却下の決定の結論］ 
　平成１６年１０月１２日付けの手続補正を却下する。
［理由］ 
（１）平成１６年１０月１２日付けの手続補正（以下、「本件補正」という。）により、特許請求の範囲は、
　「【請求項１】　デジタルデータを蓄積可能な記憶手段を備えるデジタル画像形成装置において、
　外部のコンピュータで作成されて前記記憶手段に記憶されたデジタルデータと、紙ベースのデータを画像読み取り機能を用いて読み取って前記記憶手段に記憶したデジタルデータとから成る複数のデジタルデータのうち、連結して処理するデジタルデータを選択すると同時に前記処理の順番を決定することで、当該選択したデジタルデータを前記記憶手段に記憶した順番とは無関係に任意の順序で連結して１つのジョブとして処理可能なことを特徴とするデジタル画像形成装置。
　　【請求項２】　前記連結して１つのジョブとして行なう処理が印刷処理であることを特徴とする、請求項１に記載のデジタル画像形成装置。
　　【請求項３】　前記連結して１つのジョブとして行なう処理が、前記印刷処理後の印刷材に対する後処理を含むことを特徴とする、請求項２に記載のデジタル画像形成装置。」と補正がなされた。
　上記補正は、請求項１において、「デジタルデータ」ついて、「複数のデジタルデータのうち、連結して処理するデジタルデータを選択すると同時に前記処理の順番を決定することで、当該選択したデジタルデータ」と限定等したものであって、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか否か（特許法第１７条の２第５項において読み替えて準用する同法第１２６条第５項の規定に適合するか）について以下に検討する。
１．引用例
（１）原査定の拒絶の理由に引用された特開平９−１８５６０５号公報（以下、「刊行物１」という。）には、
　ア　「【請求項１】文書データ及びこの文書データを出力するための書式情報を有する文書ファイルを記憶する第１の記憶手段と、この第１の記憶手段に記憶された文書データを複数組み合わせて連結印刷するための連結印刷情報を記憶する第２の記憶手段と、文書データを出力する出力手段と、前記第２の記憶手段に記憶された連結印刷情報と前記第１の記憶手段に記憶された書式情報とを比較し、その結果に基づいて前記第１の記憶手段に記憶された文書データを処理して、前記出力手段に出力させる制御手段とを備えたことを特徴とする文書印刷装置。」（２頁１欄２行〜１１行）、
　イ　「【０００１】
【発明の属する技術分野】本発明は、複数の文書データを連結して円滑に印刷するための文書印刷装置に関するものである。
【０００２】
【従来の技術】従来よりワードプロセッサやＤＴＰ等の文書印刷装置には、文書印刷時に複数の文書データを連結して、あたかも１つの文書データのように連続して印刷することができる機能が設けられている。またこのときに、文書データの１部であるノンブル（頁番号）や柱（ヘッダ・フッタ）等の文書書式を、連結対象となる複数の文書データに対して統一して印刷することができる機能も設けられている。これにより、章単位等で小さく分割して作成した文書データや、複数の人が手分けして別々に作成した文書データを容易に連結して印刷できる。また、既存の文書データを連結することにより、文書データ資源の有効な再利用も行うことができる。」（２頁１欄１３行〜２９行）、
　ウ　「【００１４】以上のように構成された本実施の形態の文書印刷装置について、以下、その動作を説明する。先ず、キーボード３より、連結印刷情報記憶部１０内の連結印刷情報が設定される。設定される項目は、文書ファイル記憶部９に既に存在する文書ファイルの文書名、文書ファイルの連結順序、及び連結後の文書全体としての統一書式情報である。次に、設定された連結印刷情報に基づき、文書展開部１２により文書が展開され、容量不足が発生すれば文書削除部１３により文書が削除され、そうでなければ印刷制御部１４がビットマップメモリ４上に出力イメージデータを展開し、プリンタ６に出力する。」（３頁３欄２０行〜３１行）が記載されている。
（２）原査定の拒絶の理由に引用された国際公開第９６／１８１４２号パンフレット（以下、「刊行物２」という。）には、
　ア　「The object of this invention is to obviate the said disadvantages of the known    systems，to which end，in a system according to the preamble， the generating means also  comprise an inputting unit for receiving data fed from a digital environment and          corresponding to images，and generating digital image data corresponding thereto．    Consequently，the control unit can also add to the said set file a digital image data file     supplied via the said inputting unit．The term external ”digital environment”is intended  to denote a local network to which one or more workstations are connected，a directly     connected workstation，a read−out station for a digital storage medium，such as a floppy disk drive，and so on．
 In one attractive embodiment，the said inputting unit stores in a memory a digital image   data file supplied from a digital environment and a selection function is provided for selecting a data file so stored in the memory and supplied from a digital environment for the purpose of adding the same to the said set file in the storage unit．」（２頁１１行〜２４行）、
（訳：本発明の目的は、公知の装置の上記した問題点を解消することにある。かかる目的のため、請求項前段に係る装置において、生成手段はデジタル環境から供給され、画像に対応するデータを受信し、これに対応するデジタル画像を生成する入力ユニットをも備える。従って、制御ユニットは、上記入力ユニットを介して供給されたデジタル画像データファイルを上記集合ファイルに加えることができる。「デジタル環境」という語は、１又は２以上のワークステーションが接続されたローカルネットワーク、直接接続されたワークステーション、あるいは、フロッピーディスクドライブ等のデジタル格納メディアの読み出しステーション等を意味するものとする。
  好ましい一実施例において、上記入力ユニットは、デジタル環境から供給されたデジタル画像データファイルをメモリに格納し、デジタル環境から供給されたデータファイルから格納ユニットに追加するデータファイルを選択する選択機能を備える。）、
　イ　「In another embodiment，this said key is operative both for data files generated by the scanner and for data files supplied from a digital environment．Consequently， all the actions for adding an image to the set are started with the same operating element． This is an advantage in respect of consistency of the machine behaviour and hence ease of operation．」（２頁３７行〜３頁３行）、
（訳：もう一つの実施例において、上記キーは、スキャナーにより生成されたデータファイル及びデジタル環境から供給されたデータファイルの双方に対して有効である。従って、画像を集合に加える全ての動作は、同一の操作要素により開始される。このことは、装置動作の一貫性の点で有利であり、従って、操作の容易性の点において有利である。）、
　ウ　「FIG．1 shows the general layout of an image reproduction system according to   the invention． The system comprises a scanner 1 for electro−optical scanning of a    document and for delivering digital image data corresponding thereto， an automatic      document feeder unit 1A，a processing unit 17 for image data supplied by the scanner 1， a supply means 2 for image data from a external source，such as a network，and a printing unit 3 for printing digital image data on a support material．
The system also comprises a storage means 15 for image data， connected to the processing unit 17， the supply means 2 and the printer 3 and operative as a buffer between the parts 1 and 2 which generate the print data and the part 3 of the system， which processes the print data，and also an operating unit 19 provided with an operating panel with a display and keys， connected to the processing unit 17． Finally there is a central control unit 18 connected to all the other elements．」（３頁２０行〜３１行）、
（訳： 図１は、本発明に係る画像再生装置の構成の概要を示す。本装置は、文書を電気−光学式にスキャンし、その文書に対応するデジタル画像データを送出するスキャナー１と、自動文書供給ユニット１Ａと、スキャナー１により供給される画像データを処理する処理ユニット１７と、ネットワーク等の外部源からの画像データを供給する供給手段２と、支持材料にデジタル画像データを印刷する印刷ユニット３とを備えている。
  本装置は、また、処理ユニット１７、供給手段２、及びプリンタ３に接続された画像データを格納する格納手段１５を備えている。格納手段１５は、印刷データを生成する構成部分１及び２と、印刷データを処理する構成部分３との間のバッファとして機能する。本装置は、また、ディスプレイとキーとを備える操作パネルが設けられ、処理ユニット１７に接続された操作ユニット１９を備えている。最後に、他の全ての要素に接続された中央制御ユニット１８が設けられている。）、
　エ　「The unit 2 for supplying digital image information from an external source，or   the ”front−end”，is shown in FIG．6．This unit is provided with a network       connection unit 220 connected to an external network 16， to which a number of        workstations， for example， can be coupled． These workstations can send data files in various generally used formats （page description languages such as PCL，PostScript，etc．） via network 16 for printing． The technique of networks and the sending of data files over the same is generally known and will not therefore be explained here．
The connection unit 220 is connected to a job recognition module 222 which is in turn      connected to a hard disk 223． The job recognition module 222 determines the page      description language （PDL） used for each data file supplied and extracts identification   data contained therein． In network systems， transmitted data files are always provided  with identification data． These data usually contain the name of the sender （owner） of the file and the name of the file itself． These data are extracted by the job recognition    module 222．
The hard disk 223 intended for interim storage of a supplied data file is also connected to a PDL interpreter 224 for converting a data file coded in a page description language into a form suitable for processing by the printer unit 3． This processing is generally known as ”rasterisation”． The PDL interpreter 224 is connected via a buffer 225 to the intermediate storage means 15． The job recognition module 222， hard disk 223 and PDL interpreter 224 are also each connected to the control unit 18．
In the system described here， when a data file is supplied via the network， a print is usually not made thereof immediately， a command from the operating panel being awaited．」（６頁２３行〜７頁８行）、
（訳： 図６には、外部源からデジタル画像情報を供給するユニット２、すなわち、「フロントエンド」が示されている。このユニットは、外部ネットワーク１６に接続されたネットワーク接続ユニット２２０を備えている。外部ネットワーク１６には、例えば、複数のワークステーションを結合することができる。こられのワークステーションは、一般的に用いられる種々の形式（ＰＣＬ、ＰｏｓｔＳｃｒｉｐｔのようなページ記述言語等）のデータファイルを印刷のためにネットワーク１６を経由して送ることができる。ネットワーク技術及びネットワークによるデータファイルの転送は周知であるため、ここでは説明しない。
  接続ユニット２２０はジョブ認識モジュール２２２に接続されている。ジョブ認識モジュール２２２はハードディスク２２３に接続されている。ジョブ認識モジュール２２２は、供給される各データファイルに対して用いられているページ記述言語（ＰDＬ）を識別し、その中に含まれる識別データを抽出する。ネットワークシステムにおいて、転送されるデータファイルは常に識別データを含んでいる。これらのデータはファイルの送り主（所有者）の名前及びファイル自身の名前を含んでいる。これらのデータはジョブ認識モジュール２２２により抽出される。
  供給されたデータファイルを一時的に格納するためのハードディスク２２３は、また、ページ記述言語にコード化されたデータファイルをプリンタユニット３による処理に適した形式に変換するＰＤＬインタプリター２２４に接続されている。この処理は、一般には、「ラスタライゼーション（rasterisation）」として知られている。ＰＤＬインタプリター２２４はバッファ２２５を介して中間格納手段１５に接続されている。ジョブ認識モジュール２２２、ハードディスク２２３、及びＰＤＬインタプリター２２４は、それぞれ、制御ユニット１８にも接続されている。
  上述したシステムにおいて、データファイルがネットワークを経由して供給された場合、通常はその印刷が直ちに行なわれることはなく、操作パネルからのコマンドが待たれる。）、
　オ　「Control unit 18 manages a list containing the identification data of all the data files for printing stored on the hard disk 223． If a new file is supplied via the network， then the control unit 18 adds the identification data thereof to the list． Whenever a data file has been printed，the control unit 18 removes the identification data of that file from the list．
If an operator now wishes to print a specific data file， he must give a command for this   purpose by means of the system operating panel of 19A． In response thereto， the data   file is brought up from the hard disk 223 and converted by the PDL interpreter 224 into    printable data which， after intermediate storage in storage means 15， are printed by the  printing unit．
The system construction can also be such that data files supplied from the network 16 are    immediately converted into printable data and then stored in the storage device 15． The   list referred to above then contains the data of the supplied and converted files．」（７頁１８行〜３０行）、
（訳：制御ユニット１８は、ハードディスク２２３に格納された全ての印刷用データファイルの識別データを含むリストを管理する。新しいファイルがネットワーク経由で供給されたならば、制御ユニット１８はその識別データをリストに加える。データファイルが印刷されるごとに、制御ユニットはそのファイルの識別データをリストから削除する。
  オペレータは、特定のデータファイルの印刷を所望する場合には、システム操作パネル１９Ａによりコマンドを与えなければならない。このコマンドに応じて、データファイルがハードディスク２２３から読み出され、ＰＤＬインタプリター２２４によって印刷可能データに変化される。このデータは、格納手段１５に中間的に格納された後、印刷ユニットによって印刷される。
  本装置を、供給されたデータファイルが直ちに印刷可能データに変換され、次に、格納手段１５に格納されるように構成することも可能である。この場合、上記リストは、供給され変換されたファイルのデータを含むことになる。）、
　カ　「FIG． 8 shows the make−up of the screen 60 after the printing mode has been selected in the ”basic settings”heading by tmeans of key 64A．In this case the function of key 64B changes inasmuch as it is now possible only to set ”single or double−sided” in respect of the print．The keys 64D and 64E also now have the function of specifying the data file for printing by selecting the user and file name．Various files from different users may be stored in the memory 223． All these files are recorded in the list of the control unit 18，as described hereinbefore，and can be displayed on the screen 60 for selection．」（９頁１６行〜２３行）、
（訳：図８は、キー６４Ａによって、「基本設定」ヘッディング内の印刷モードが選択された後の状態を示す。この場合、キー６４Ｂの機能は、「片面又は両面」を印刷についてのみ設定できるように変化する。キー６４Ｄ及び６４Ｅは、ユーザ及びファイル名を選択することにより印刷用データファイルを特定する機能をも有するようになる。異なるユーザからの種々のファイルがメモリに格納される。これら全てのファイルは、上述の如く、制御ユニット１８のリストに記録され、選択のためにスクリーン６０に表示され得る。）、
　キ　「With the system described above it is possible to assemble a set of images from a number of images input in various ways，both scanned documents and files of digital image data， and print this set as a whole． The storage key 67 on the operating panel is used for this purpose．
Actuation of storage key 67 has the same results as actuating the start key 61， except for  starting the printing procedure． Thus， digital data are generated and stored in the storage means 15， but the control unit 18 then passes to the stand−by mode．In this mode an operator can define a new image by placing a document in the ADF entry tray or on the glass platen or by selecting a digital data file．On actuation of the storage key 67 the control unit 18 is re−activated and the scanner 1 or front−end 2 starts up． The digital image data then generated are then added to the file already stored in the storage means 15．
If start key 61 is actuated in the stand−by condition，the control unit 18 starts the printing system 3 and causes the built−up set of images in the storage means 15 to be printed by  the printing unit 3．」（１０頁１１行〜２５行）、
（訳：上記したシステムによれば、スキャンされた文書及びデジタル画像データファイルの双方を含む、種々の方法で入力された複数の画像から画像集合を組み立て、全体として印刷することができる。操作パネル上の格納キー６７はかかる目的のために用いられる。
  格納キー６７を操作すると、印刷処理の開始を除いて、開始キー６１を操作したのと同様の結果が得られる。従って、デジタルデータが生成され、格納手段１５に格納されるが、制御ユニット１８はスタンバイモードに入る。このモードでは、オペレータは、文書をＡＤＦ入力トレイ又はガラスプラテンに設置し、あるいは、デジタルデータファイルを選択することによって、新たな画像を定義することができる。格納キー６７が操作されると、制御ユニット１８が再び起動され、スキャナー１又はフロントエンド２が始動する。そして、デジタル画像データが生成され、格納手段１５に既に格納されているファイルに追加される。
  スタンバイモードにおいて開始キー６１が操作されると、制御ユニット１８は印刷システム３を始動させ、格納手段１５内に蓄積された画像集合を印刷ユニット３により印刷させる。）、
　ク　「 1．A system for assembling a set of images and reproducing the same on image supports，such as sheets of paper，comprising
generating means，including an electro−optical scanner，for generating digital image data corresponding to an image；
a storage unit for temporary storage of image data generated by the generating means；
a printing unit for printing on image supports images corresponding to image data in the     storage unit；
an operating unit provided with operating means operable by an operator；
a control unit connected to the generating means，the storage unit，the printing unit and the operating unit，said control unit being adapted
so to control the generating means and the storage unit in response to a command given for   the purpose from the operating unit，that digital data generated by the generating means areeach time stored in or added to a set file in such manner that image data generated in separate actions by the generating means are assembled in the storage unit to form the said set file，
and to cause the said set file to be completely printed by the printing unit in response to a   command given for the purpose from the operating unit；
characterised in that
the generating means also comprise an inputting unit for receiving date fed from a digital    environment and corresponding to images，and generating digital image data corresponding  thereto．」（１５頁３行〜２４行）
（訳：１．  電気−光学式スキャナーを含み、画像に対応するデジタル画像データを生成する生成手段と；
  前記生成手段により生成された画像データを一時的に格納する格納ユニットと；
  前記格納ユニットの画像データに対応する画像を画像担体に印刷する印刷ユニットと；
  オペレータにより操作可能な操作手段を備える操作ユニットと；
  前記生成手段、前記格納ユニット、前記印刷ユニット、及び、前記操作ユニットに接続され、前記操作ユニットから与えられる所定の目的のコマンドに応じて前記生成手段及び前記格納ユニットを制御することで、前記生成手段による別個の動作において生成された画像データが前記格納ユニットに集合され集合ファイルを構成するように、前記生成手段により生成されたデジタルデータを、毎回、集合ファイルに格納又は追加させ、かつ、前記操作ユニットから与えられる所定の目的のコマンドに応じて、前記集合ファイルを前記印刷ユニットにより完全に印刷させるように適合された制御ユニットと；を備える、画像集合を組み立て、これをシート紙等の画像担体に再生する装置であって、
  前記生成手段は、デジタル環境から供給される画像に対応するデータを受信し、該データに応じてデジタル画像データを生成する入力ユニットを更に備えたことを特徴とする装置。）が記載されている。
　これらの記載ア〜ク及び図面図１〜１０によれば、刊行物２には、
「デジタル画像データを格納する格納ユニット１５、制御ユニット１８、 文書をスキャンする電気−光学式スキャナー１を含み、１又は２以上のワークステーションが接続されたローカルネットワーク等のデジタル環境から供給される画像に対応するデータを受信し、該データに応じてデジタル画像データを生成する入力ユニットを有し、画像に対応するデジタル画像データを生成する生成手段、印刷ユニット３、及び操作ユニット１９を備える画像再生装置において、
　制御ユニット１８は、前記生成手段、前記格納ユニット１５、前記印刷ユニット３、及び、前記操作ユニット１９に接続され、前記操作ユニット１９から与えられる所定の目的のコマンドに応じて前記生成手段及び前記格納ユニット１５を制御することで、１又は２以上のワークステーションが接続されたローカルネットワーク等の外部源からのデジタル画像データを得て、また文書をスキャナー１を用いて電気−光学式にスキャンし、その文書に対応するデジタル画像データを得て、各画像データが前記格納ユニットに集合され集合ファイルを構成するように、前記生成手段により生成されたデジタル画像データを、毎回、集合ファイルに格納又は追加させ、かつ、前記操作ユニット１９から与えられる所定の目的のコマンドに応じて、前記集合ファイルを前記印刷ユニット３により完全に印刷させるように適合することを特徴とする画像再生装置。」の発明（以下、「引用発明」という。）が記載されていると認める。
　
２．対比
　そこで、本願補正発明と引用発明とを対比する。
　引用発明の「デジタル画像データ」、「格納手段ユニット１５」及び「文書」は、本願補正発明の「デジタルデータ」、「記憶手段」及び「紙ベースのデータ」に相当する。
　引用発明の「格納手段ユニット１５」は、画像データを格納するものであるから、画像データを蓄積可能といえる。
　引用発明の「画像再生装置」は、デジタル画像データから画像を形成するものであるから、本願補正発明の「デジタル画像形成装置」に相当する。
　引用発明は、１又は２以上のワークステーションが接続されたローカルネットワーク等の外部源からの画像データを受信するものであり、このワークステーションは外部のコンピュータといえ、そこで作成したデジタルデータは格納手段ユニット１５に蓄積されるといえる。
　引用発明の電気−光学式スキャナー１は、文書をスキャンするものであるから、紙ベースのデータを画像読み取り機能を用いて読み取り、読み取ったデジタルデータは格納手段ユニット１５に蓄積されるといえる。
　引用発明は、「各デジタル画像データが前記格納ユニットに集合され集合ファイルを構成するように、前記生成手段により生成されたデジタル画像データを、毎回、集合ファイルに格納又は追加させ、かつ、前記操作ユニット１９から与えられる所定の目的のコマンドに応じて、前記集合ファイルを前記印刷ユニット３により完全に印刷させるように適合する」ものであるから、各画像データをまとめて１つの印刷ジョブとして処理可能としているといえる。
　したがって、本願補正発明と引用発明は、「デジタルデータを蓄積可能な記憶手段を備えるデジタル画像形成装置において、外部のコンピュータで作成されて前記記憶手段に記憶されたデジタルデータと、紙ベースのデータを画像読み取り機能を用いて読み取って前記記憶手段に記憶したデジタルデータとから成る複数のデジタルデータを１つのジョブとして処理可能なことを特徴とするデジタル画像形成装置。」の点で一致し、以下の点で相違する。
　相違点１
　本願補正発明は「記憶手段に記憶した複数のデジタルデータのうち、連結して処理するデジタルデータを選択すると同時に前記処理の順番を決定することで、当該選択したデジタルデータを前記記憶手段に記憶した順番とは無関係に任意の順序で連結している」のに対して、引用発明は、その点についての記載がない点。
　
３．判断
　以下、相違点１について検討する。 
　引用発明は、「各デジタル画像データが前記格納ユニットに集合され集合ファイルを構成するように、前記生成手段により生成されたデジタル画像データを、毎回、集合ファイルに格納又は追加させ、かつ、前記操作ユニット１９から与えられる所定の目的のコマンドに応じて、前記集合ファイルを前記印刷ユニット３により完全に印刷させるように適合する」ものである。
　また、複数ファイルを出力する技術分野において、複数ファイル（デジタルデータ）を連結して１つのジョブとして処理すること、デジタルデータを記憶手段に記憶した順番とは無関係に任意の順序で出力することは各々周知である（前者について、例えば、刊行物１、特開昭６３−２０８１５７号公報参照、後者について、例えば、特開平４−３０６０６１号公報、特開平４−２５２５６６号公報、特開昭６２−２４９５６２号公報参照。）。
　そして、データを選択すると同時に順番を決定すること、例えば、最初にデータを選択すると、そのデータは１番、続いてデータを選択するとそのデータは２番のように選択した順番とおりに自動的に番号を付け、順番を決定することは、普通に行われていることであり、ファイルを扱う技術分野においては、技術常識であるといえる（例えば、特開平７−２８３８９６号公報参照。）。
　してみると、引用発明において、上記周知な技術事項、技術常識を採用して、「記憶手段に記憶した複数のデジタルデータのうち、連結して処理するデジタルデータを選択すると同時に前記処理の順番を決定することで、当該選択したデジタルデータを前記記憶手段に記憶した順番とは無関係に任意の順序で連結」することは、当業者が容易に想到できたものである。
　
　また、本願補正発明の奏する作用効果は、引用発明及び上記周知技術の奏する作用効果から予測される範囲内のものにすぎず、格別なものということはできない。
 　 
　したがって、本願補正発明は、刊行物２に記載された発明及び上記周知技術に基づいて、当業者が容易に発明をすることができたものであるから、特許法第２９条第２項の規定により、特許出願の際独立して特許を受けることができないものである。
 　 
４．むすび
　以上のとおり、本件補正は、特許法第１７条の２第５項において読み替えて準用する同法第１２６条第５項の規定に違反するものであり、特許法第１５９条第１項において読み替えて準用する特許法第５３条第１項の規定により却下されるべきものである。
　  
第３　本願発明について
　平成１６年１０月１２日付けの手続補正は、上記のとおり却下されたので、本願の請求項１に係る発明（以下、「本願発明」という。）は、平成１６年１月１９日付け手続補正書によって補正された明細書及び図面の記載からみて、その特許請求の範囲の請求項１に記載された事項により特定される、以下のとおりのものである。
「【請求項１】　デジタルデ−タを蓄積可能な記憶手段を備えるデジタル画像形成装置において、
　外部のコンピュ−タで作成されて前記記憶手段に記憶されたデジタルデ−タと、紙ベ−スのデ−タを画像読み取り機能を用いて読み取って前記記憶手段に記憶したデジタルデ−タとを、前記記憶手段に記憶した順番とは無関係に任意の順序で連結して１つのジョブとして処理可能なことを特徴とするデジタル画像形成装置。」
１．引用例
　原査定の拒絶の理由に引用された刊行物１、２及びその記載事項は、前記「第２　１．」に記載したとおりである。
２．対比・判断
　本願発明は、前記「第２」で検討した本願補正発明から限定等を省いたものである。
　そうすると、本願発明の発明特定事項を全て含み、さらに発明特定事項を限定したものに相当する本願補正発明が前記「第２　２．」、「第２　３．」に記載したとおり、刊行物２に記載された発明及び周知技術に基づいて、当業者が容易に発明をすることができたものであるから、本願発明も、同様の理由により、刊行物２に記載された発明及び周知技術に基づいて、当業者が容易に発明することができたものである。  
３．むすび
　以上のとおり、本願発明は、刊行物２に記載された発明及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。 
　よって、結論のとおり審決する。